(57)【要約】  締着部材（５０）であって、ベースパネル（４２）と、ベースパネル（４２）から横方向に延在する閉鎖部材（５２）であって、閉鎖部材上縁部（５２２）及び閉鎖部材下縁部（５３２）を含む、閉鎖部材（５２）と、閉鎖部材（５２）上に配置された締着要素（６２）であって、締着要素上縁部（６２２）及び締着要素下縁部（６３２）を含む、締着要素（６２）と、を備え、閉鎖部材上縁部（５２２）が締着要素上縁部（６２２）に沿った凹状部分を含み、閉鎖部材下縁部（６３２）が締着要素下縁部（６３２）に沿った凸状部分を含み、閉鎖部材（５２）が横方向上方に延在する、締着部材（５０）。
2021532912.tif 000002
【特許請求の範囲】
【請求項１】
締着部材であって、
ベースパネル横方向中心線を有し、ベースパネル上縁部、ベースパネル下縁部、ベースパネル上端点、及びベースパネル下端点を含む、ベースパネルと、
前記ベースパネルから横方向に延在する閉鎖部材であって、閉鎖部材上縁部、閉鎖部材下縁部、閉鎖部材上端点、閉鎖部材下端点、及び近位部分を含む、閉鎖部材と、
前記閉鎖部材上に配置された締着要素であって、締着要素横方向中心線、締着要素上縁部、及び締着要素下縁部を含む、締着要素と、を備え、
前記閉鎖部材上縁部が凹状部分を含み、前記凹状部分が前記締着要素上縁部に沿って形成されており、
前記閉鎖部材下縁部が凸状部分を含み、前記凸状部分が前記締着要素下縁部に沿って形成されており、
前記閉鎖部材が横方向上方に延在している、締着部材。
【請求項２】
前記閉鎖部材上縁部が、前記締着要素上縁部全体に沿って凹状部分を含み、前記閉鎖部材下縁部が、前記締着要素下縁部全体に沿って凸状部分を含む、請求項１に記載の締着部材。
【請求項３】
前記締着要素横方向中心線が、前記ベースパネル上縁部と前記ベースパネル横方向中心線との間に位置する、請求項１又は２に記載の締着部材。
【請求項４】
前記締着要素横方向中心線が、前記ベースパネル上縁部と前記ベースパネル横方向中心線との間に位置するか、又は前記締着要素横方向中心線が、前記閉鎖部材下縁部と交差する、請求項１〜３のいずれか一項に記載の締着部材。
【請求項５】
前記閉鎖部材が、前記ベースパネルに接合されている、請求項１〜４のいずれか一項に記載の締着部材。
【請求項６】
前記閉鎖部材が、前記ベースパネルと一体である、請求項１〜５のいずれか一項に記載の締着部材。
【請求項７】
前記ベースパネル上端点と前記閉鎖部材上端点との間の距離が、約１０ｍｍ未満である、請求項１〜６のいずれか一項に記載の締着部材。
【請求項８】
前記ベースパネル上端点と前記閉鎖部材上端点との間の前記距離が、約２ｍｍ未満である、請求項７に記載の締着部材。
【請求項９】
前記ベースパネル下端点と前記閉鎖部材下端点との間の距離が、約８ｍｍ超である、請求項１〜８のいずれか一項に記載の締着部材。
【請求項１０】
前記閉鎖部材の前記近位部分の幅が、約６ｍｍ〜約１５ｍｍの範囲内である、請求項１〜９のいずれか一項に記載の締着部材。
【請求項１１】
前記閉鎖部材の前記近位部分の長さが、約１８ｍｍ〜約４０ｍｍの範囲内である、請求項１〜１０のいずれか一項に記載の締着部材。
【請求項１２】
フックの曲げ剛性が、前記閉鎖部材の曲げ剛性の約５０％〜約１５０％である、請求項１〜１１のいずれか一項に記載の締着部材。
【請求項１３】
前記閉鎖部材上縁部及び前記閉鎖部材下縁部が、前記長手方向に相対的に移動させた際に前記閉鎖部材の前記長手方向中心線に対して対称であり、前記締着部材の前記横方向中心線に対して非対称である、請求項１〜１２のいずれか一項に記載の締着部材。
【請求項１４】
吸収性物品であって、
液体透過性トップシート、液体不透過性バックシート、前記液体透過性トップシートと前記液体不透過性バックシートとの間に配置された吸収性コアを含む、シャーシと、
第１及び第２の対向する長手方向側縁部と、
前側腰部縁部を有する前側腰部領域及び後側腰部縁部を有する後側腰部領域と、
前記後側腰部領域において長手方向及び横方向に延在する締着部材と、を備え、
前記締着部材が、
ベースパネルと、
前記ベースパネルから横方向に延在する閉鎖部材であって、閉鎖部材上縁部及び閉鎖部材下縁部を含む、閉鎖部材と、
前記閉鎖部材上に配置された締着要素と、を含み、
前記閉鎖部材上縁部が凹状部分を含み、
前記閉鎖部材下縁部が凸状部分を含み、
前記閉鎖部材が横方向上方に延在しており、
前記締着部材は、前記閉鎖部材下縁部が前記後側腰部縁部に対して前記閉鎖部材上縁部の下方に位置するように配置されている、吸収性物品。
【請求項１５】
前記閉鎖部材上縁部が、前記締着要素上縁部全体に沿って凹状部分を含み、前記閉鎖部材下縁部が、前記締着要素下縁部全体に沿って凸状部分を含む、請求項１４に記載の吸収性物品。
【請求項１６】
前記ベースパネルが、前記シャーシに接合されている、請求項１４に記載の吸収性物品。
【請求項１７】
前記ベースパネルが、前記シャーシと一体である、請求項１４に記載の吸収性物品。
【請求項１８】
前記閉鎖部材が、前記ベースパネルに接合されている、請求項１４〜１７のいずれか一項に記載の吸収性物品。
【請求項１９】
前記閉鎖部材が、前記ベースパネルと一体である、請求項１４〜１７のいずれか一項に記載の締着部材。
【発明の詳細な説明】
【技術分野】
【０００１】
本発明は、特定の形状を有する締着部材、及び締着部材を有する吸収性物品に関する。
【背景技術】
【０００２】
おむつなどの使い捨て吸収性物品の角部を固定するための締着システムの使用が知られている。かかるシステムを使用することで、かかる物品を使用時に着用者に対して保持するための固定手段が提供される。かかるシステムを使用することで、使用後にかかる物品及びそれらの汚れた内容物を廃棄まで包み込んでおくための固定手段を提供することもできる。
【０００３】
吸収性物品と共に使用するための典型的な締着システムは、締着部材及びランディング部材を有することができる。
【０００４】
締着部材は、吸収性物品の重要な構成要素である。締着部材は、着用者に対する全体的な吸収性物品の位置を調節し、全体的なフィット性及び着用者の快適性に寄与している。締着部材は、本体部分の長手方向縁部上で、吸収性物品の腰部領域の前部又は後部のいずれかに直接的又は間接的に配置することができる。使用時、締着部材は、吸収性物品の前部又は後部の対応する反対側の本体部分上に配置されたランディング部材に対して固定することができる。
【０００５】
吸収性物品上の締着システムの従来の配置では、締着部材は、ベースパネルと締着要素とを備え、シャーシから吸収性物品の横方向に平行な方向に延在しており、これにより、締着部材を横方向に引っ張ることで物品を締着し、腰部開口部の画定された寸法を形成する。これにより、吸収性物品を着用者の腹部領域に保持する横方向の張力が提供される。着用者の身体が物品を押そうとする傾向にあるか、又は物品が腹部を締め付けようとする傾向があるため、物品が皮膚に痕を残したり、刺激を生じるか、又は着用者に不快感をもたらす場合がある。
【０００６】
締着部材は、特にベースパネルが弾性である場合には、ベースパネル内に力を均等に分配せず、着用者に持続する快適なフィット性を提供するように適当に分配しない傾向がある。
【発明の概要】
【発明が解決しようとする課題】
【０００７】
上記に基づき、着用者の身体に対する改善されたフィット性及び快適性を提供する締着部材が求められている。
【０００８】
トリムを形成することなく、容易かつ安価に製造できる締着部材も求められている。既存の吸収性物品のいずれも、本発明の利点及び効果のすべてを提供するものではない。
【課題を解決するための手段】
【０００９】
本発明は、ベースパネルと、ベースパネルから横方向に延在する閉鎖部材と、閉鎖部材上に配置された締着要素と、を備える締着部材に関し、締着要素は、締着要素上縁部及び締着要素下部縁部を含み、閉鎖部材は、締着要素上縁部に沿って形成された凹状部分を含む閉鎖部材上縁部と、締着要素下縁部に沿って形成された凸状部分を含む閉鎖部材下縁部と、横方向上方に延在する近位部分と、を含む。
【００１０】
本発明はまた、吸収性物品であって、シャーシと、第１及び第２の対向する長手方向側縁部と、前側腰部縁部を含む前側腰部領域及び後側腰部縁部を含む後側腰部領域と、締着部材であって、ベースパネル、ベースパネルから横方向に延在する閉鎖部材、及び閉鎖部材上に配置された締着要素、を含む、締着部材と、を備え、閉鎖部材が、凹状部分を含む閉鎖部材上縁部と、凸状部分を含む閉鎖部材下縁部と、横方向上方に延在する近位部分と、を含む、吸収性物品にも関する。締着部材が後側腰部領域から延在する場合、締着部材は、閉鎖部材下縁部が後側腰部縁部に対して閉鎖部材上縁部の下方に位置するように配置される。締着部材が前側腰部領域から延在する場合、締着部材は、閉鎖部材下縁部が前側腰部縁部に対して閉鎖部材上縁部の下方に位置するように配置される。
【図面の簡単な説明】
【００１１】
図面中、同様の数字又は他の表記は、図面全体を通じて同様の特徴を示す。
【図１】本発明による、例示的な吸収性物品の概略平面図である。
【図２】本発明による、別の例示的な吸収性物品の概略平面図である。
【図３】本発明による、例示的な締着部材の概略平面図である。
【図４】本発明による、別の例示的な締着部材の概略平面図である。
【図５】本発明による、別の例示的な締着部材の概略平面図である。
【図６】複数の閉鎖部材を形成するプロセスの概略図である。
【図７Ａ】本発明による、別の例示的な締着部材である。
【図７Ｂ】図７Ａの締着部材を有する吸収性物品の衣類対向面からみた上面図である。
【図８Ａ】比較用締着部材である。
【図８Ｂ】図８Ａの比較用締着部材を有する吸収性物品の衣類対向面からみた上面図である。
【図９Ａ】別の比較用締着部材である。
【図９Ｂ】図９Ａの比較用締着部材を有する吸収性物品の衣類対向面からみた上面図である。
【発明を実施するための形態】
【００１２】
固有の形状を有する締着部材を有する吸収性物品の構造、機能、製造、及び使用の原理についての全体的な理解を提供するため、本開示の様々な非限定的な形態について以下に記載する。これらの非限定的な実施形態の１つ以上の実施例が、添付図面に示される。当業者であれば、本明細書に記載され、かつ添付の図面で例示される吸収性物品は非限定的な実施形態であり、本開示の様々な非限定的形態の範囲は特許請求の範囲によってのみ定義されることを理解するであろう。１つの非限定的な形態に関して示される、又は説明される特徴は、他の非限定的な形態の特徴と組み合わせることができる。このような改変及び変形は、本開示の範囲内に含まれるものとする。
【００１３】
本明細書で使用するとき、用語「吸収性物品」は、乳児、小児、又は大人用おむつ、成人用失禁製品、トレーニングパンツ、生理用ナプキンなどの、着用者の身体に対して、又は着用者の身体に近接して配置されて、身体から排出される様々な流体（尿、経血、及び／又は軟液状糞便）、又は身体排泄物（一般に固形糞便）を吸収して収容する使い捨てデバイスを指す。典型的には、これらの吸収性物品は、トップシート、バックシート、吸収性コア、レッグカフ、任意で捕捉システム、及び／又は分配システム（１つ又はいくつかの層からなり得る）、並びに典型的には他の構成要素を含み、吸収性コアは通常、バックシートと捕捉及び／又は分配システムとの間、あるいはトップシートとバックシートとの間に、少なくとも部分的に配置される。本開示の締着部材を含む吸収性物品について、以下の説明及び図面において、テープ式おむつの１つ以上の構成要素の形態で更に示すことにする。しかしながら、この説明におけるいかなる内容も、特許請求の範囲を制限するものとみなされるべきではない。したがって、本開示は、任意の好適な形態の吸収性物品（例えば、おむつ、トレーニングパンツ、成人用失禁製品、生理用ナプキン）に適用される。
【００１４】
「弾性」及び「エラストマー性」とは、所与の荷重で破裂又は破損することなく、材料が少なくとも２５％の歪みで延伸する能力を意味しており、かつ負荷を解放すると、弾性材料又は構成要素は少なくとも８０％の回復（すなわち、２０％未満の歪み率を有する）を呈する。
【００１５】
本明細書で使用するとき、用語「伸展性」とは、力が材料に印加されたときに、その材料が意図された目的で使用不能になるような破裂又は破損を起こすことなく、その材料がその元の弛緩時長さの少なくとも１１０％の伸長長さまで伸展することができる（すなわち１０％伸展可能）材料の特性を指す。この定義に適合しない材料は、非伸展性であるとみなされる。伸展性材料は、その材料が意図された目的で使用不能になるような破裂又は破損を起こすことなく、その材料がその元の弛緩時長さの１２５％以上の伸長長さまで伸展することができる場合がある。伸展性材料は、バイアス力の印加後に、回復を呈することがあり、又は呈さないこともある。
【００１６】
本明細書で使用するとき、用語「フィルム」は、シート状材料であって、材料の長さ及び幅が材料の厚さをはるかに超える（例えば、１０倍、５０倍、又は更には１０００倍）ものを意味する。フィルムは、典型的には液体不透過性であるが、通気性であるように構成され得る。
【００１７】
締着部材の特徴に関して本明細書で使用するとき、「内側」及びその形態は、自由な横方向遠位端から最も遠くにあること、又はそこから離れる方向を意味する。
【００１８】
本明細書で使用するとき、用語「接合された」、「結合された」、又は「取り付けられた」とは、ある要素を直接他の要素に固着させることによって、ある要素が別の要素に直接固定される構成、及びある要素を中間部材（複数可）に固着させて、続いてその中間部材（複数可）を他の要素に固着させることによって、ある要素が別の要素に間接的に固定される構成を包含する。
【００１９】
本明細書で使用するとき、上から見て平らにかつ水平に置かれた吸収性物品の締着部材によって実質的に占有される平面内にある線に関して、用語「横方向」（及びその形態）は、吸収性物品の長手方向軸に対して実質的に垂直な方向に関する。吸収性物品の締着部材の特徴に関して、「横方向」及び「幅」（及びその形態）は、吸収性物品に沿った長手方向軸に対して部分的に又は全体的に垂直な方向、又はその方向に概ね沿った方向に関する。おむつシャーシの特徴に関して、「横方向」及び「幅」（及びその形態）は、シャーシの横方向軸に対して実質的に平行な方向に関する。
【００２０】
本明細書で使用するとき、着用者によって着用されるように適合された吸収性物品に関して、用語「横方向軸」は、長手方向軸に垂直かつ物品の長手方向長さを等分割する軸を意味する。
【００２１】
本明細書で使用するとき、上から見て平らにかつ水平に置かれた吸収性物品の締着部材によって実質的に占有される平面内にある線に関して、用語「長手方向」及び「長さ」（及びその形態）は、着用者が立位姿勢又は身体を伸ばしたリクライニング姿勢にある状態で物品が通常着用された際に、着用者の脊椎とほぼ整列する方向に関する。締着部材の特徴に関して、「長手方向」及び「長さ」（及びその形態）は、着用者が立位姿勢又は身体を伸ばしたリクライニング姿勢にある状態で物品が通常着用された際に、着用者の脊椎とほぼ整列する方向、又はその方向に概ね沿った方向に関する。おむつシャーシの特徴に関して、「長手方向」及び「長さ」（及びその形態）は、着用者が立位姿勢又は身体を伸ばしたリクライニング姿勢にある状態で物品が通常着用された際に、着用者の脊椎とほぼ整列する方向に関する。
【００２２】
本明細書で使用するとき、着用者によって着用されるように適合された吸収性物品に関して、用語「長手方向軸」は、着用者が立位姿勢又は身体を伸ばしたリクライニング姿勢にある状態で物品が通常着用された際に着用者の脊椎とほぼ整列し、物品の横方向幅を等分割する軸を意味する。
【００２３】
本明細書で使用するとき、用語「不織布」は、連続的な（長い）フィラメント（繊維）及び／又は非連続的な（短い）フィラメント（繊維）から、例えば、スパンボンディング、メルトブローン、エアレイド、カーディング、共形成、水流交絡などのプロセスによって作製される多孔質の繊維状材料を意味する。不織布は、織られた又は編まれたフィラメントパターンを有さない。不織布は、液体透過性又は不透過性であってもよい。
【００２４】
本明細書で使用するとき、締着部材の特徴に関して、用語「外側」及びその形態は、その自由な横方向遠位端にあること、又はそれに向かう方向を意味する。
【００２５】
本明細書に記載される請求項の特徴又は要素が「線」又は「点」として特定される場合、そのような線又は点は、特に指定がない限り、実際の物理的特徴ではなく、むしろ、物理的構造上の場所を記述するうえで使用されることを意図した幾何学的基準である。
【００２６】
「備える（comprise）」、「備える（comprising）」、及び「備える（comprises）」は、非限定的な用語であり、それぞれが、後に続くもの（例えば、構成要素）の存在を特定するが、他の特徴（例えば、当該技術分野において既知であるか、又は本明細書に開示される要素、工程、構成要素）の存在を除外するものではない。
【００２７】
「機械方向」（Machine direction、ＭＤ）は、プロセスを通じた材料の流れの方向を意味する。加えて、材料の相対的配置及び動きは、あるプロセスを通過してそのプロセスの上流からそのプロセスの下流に向かう機械方向に流れているものとして述べることができる。「横断方向」（Cross direction、ＣＤ）は、機械方向に対して概ね垂直な方向を意味する。ウェブに関して「Ｚ方向」は、機械方向及び横断方向寸法に沿ってウェブにより近似される平面に対して、一般に直交又は垂直を意味する。
【００２８】
吸収性物品
シャーシ
図１は、本発明の締着部材５０を有する、本発明による吸収性物品の一例としてのおむつ１０の概略平面図である。おむつ１０は、液体透過性トップシート２４、液体不透過性バックシート２６、及びトップシート２４とバックシート２６との間に配置された吸収性コア２８を含むシャーシ２２を含んでいる。おむつ１０の衣類対向面１２０は、観測者を向いている。おむつ１０は、長手方向中心線１００及び横方向中心線１１０を含む。おむつ１０は、前側腰部領域３６と、前側腰部領域３６と対向する後側腰部領域３８と、前側腰部領域３６と後側腰部領域３８との間に位置する股部領域３７と、を含む。腰部領域３６、３８は、一般に、着用したときに着用者の腰部を取り巻くようなおむつ１０の部分を含む。腰部領域３６及び３８は、改善されたフィット性及び収容性を提供するために、着用者の腰部の周囲で、前側及び／又は後側腰部領域３６、３８内に材料を寄せ集めるか、又は材料を伸展させることができる弾性要素を含んでもよい。股部領域３７は、おむつ１０が着用された際に着用者の脚の間に概ね位置付けられる、おむつ１０の部分である。おむつ１０の外周は、長手方向側縁部１２と端部縁部、すなわち前側腰部縁部及び後側腰部縁部１４とによって画定される。対向する長手方向側縁部１２は、長手方向中心線１００に対して概ね平行に配向することができる。弾性要素は、おむつ１０が締着構成にある場合におむつ１０の側縁部１２に隣接して配置されてガスケットカフを形成することができる。
【００２９】
図１に示されるおむつ１０は、液体透過性トップシート２４、液体不透過性バックシート２６、及びそれらの間に配置された吸収性コア２８を含む。吸収性コア２８は、身体に面する表面と衣類に面する表面とを有し得る。トップシート２４、バックシート２６、及び吸収性コア２８は、様々な周知の構成に組み立てることができる。例えば、トップシート２４は、コア２８及び／又はバックシート２６に接合されてもよい。バックシート２６は、コア２８及び／又はトップシート２４に接合されていてもよい。コア２８、トップシート２４、及び／又はバックシート２６間の接合された、又は非接合の関係に、他の構造体、要素、又は基材を位置付けすることもできる点は認識されるべきである。好適なおむつ構成の非限定的な例は、米国特許第３，８６０，００３号、同第４，８０８，１７８号、同第４，９０９，８０３号、同第５，１５１，０９２号、同第５，２２１，２７４号、同第５，５５４，１４５号、同第５，５６９，２３４号、同第５，５８０，４１１号、同第６，００４，３０６号、及び同第７，６２６，０７３号、並びに米国特許出願公開第２００７／０２４９２５４Ａ号に一般的に記載されている。
【００３０】
トップシート２４は、典型的に少なくとも部分的に着用者に接触する、又は近位に位置付けされる、おむつ１０の一部を含む。好適なトップシート２４は、多孔質発泡体、網状発泡体、有孔フィルム、又は天然繊維（例えば、木材繊維若しくは綿繊維）、合成繊維、若しくは天然繊維と合成繊維との組み合わせの織布ウェブ又は不織布ウェブ、又はこれらの材料の多層積層体などの広範な材料から製造することができる。一般に、トップシート２４の少なくとも一部は、液体透過性であり、液体をトップシート２４の厚みを通って容易に透過させることができる。トップシート２４の任意の部分は、当該技術分野で既知のローションでコーティングされてもよい。
【００３１】
吸収性コア２８は、使い捨ておむつ及び他の吸収性物品において一般に使用される多種多様の液体吸収性材料（例えば、超吸収性ポリマー粒子（superabsorbent polymer particle、「ＳＡＰ」）及び／又はエアフェルト）を含み得る。これらの材料を組み合わせて、捕捉層、分配層、及び貯蔵層などの流体処理層を含み得る、１つ以上の層の形態のコア２８を提供することができる。このような吸収性コア２８は、他のコア構成要素を安定化させるか、又は閉じ込めるためのコアカバー層などの層を含むことができる。吸収性コア２８は、吸収性コア２８の重量に基づいて、２０重量％未満のエアフェルトを含んでもよいか、又は吸収性コア２８はエアフェルトを含まなくてもよい。吸収性コア２８として使用するための例示的な吸収性構造は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号、同第７，７５０，２０３号、及び同第７，７４４，５７６号に記載されている。
【００３２】
バックシート２６は、おむつ１０の衣類対向面１２０の少なくとも一部を含むように位置付けすることができる。バックシート２６は、おむつ１０によって吸収され、その中に収容された排出物が、ベッドシーツ及び下着などの、おむつ１０と接触し得る物品を汚すのを防止するように設計され得る。バックシート２６は、実質的に不透水性であってよい。好適なバックシート２６の材料としては、おむつ１０から蒸気を逃がすことが可能でありながら依然として排出物がバックシート２６を通過することを防止する、通気性材料を挙げることができる。このような通気性複合材料は、国際公開第９５／１６７４６号及び米国特許第５，８６５，８２３号に、一層詳細に記載されている。不織布ウェブ及び孔あき成形フィルムを含めた他の通気性バックシートが、米国特許第５，５７１，０９６号に記載されている。好適な材料及び／又は製造技術を使用して、これらに限定されるものではないが、表面処理、特定のフィルム選択及び加工、特定のフィラメント選択及び加工などを含む好適なバックシート２６を提供することができる。バックシート２６はまた、例えば、別個の非接合層として、又は積層体として構成された複数の層を含んでもよい。このような積層構造体はバックシート２６に限定されるものではなく、所望により、本明細書に記載されるか又は当該技術分野において一般的に知られているおむつ１０の構成要素（例えば、耳部又はサイドパネル）のいずれに組み込まれてもよい点を理解されたい。
【００３３】
おむつ１０はまた、締着システムを含んでもよい。締着システムは、典型的に、締着された際、前側腰部領域３６と後側腰部領域３８とを相互連結し、おむつ１０の着用者を概ね取り囲む腰部外周を与える。例示的な表面締着システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な相互係合締着システムは、米国特許第６，４３２，０９８号に開示されている。締着システムはまた、米国特許第４，９６３，１４０号に開示されているように、使い捨て構成において物品を保持するための手段を提供してもよい。締着システムはまた、米国特許第４，６９９，６２２号に開示されているように、一次及び二次締着システムを含んでもよい。締着システムは、米国特許第５，２４２，４３６号、同第５，４９９，９７８号、同第５，５０７，７３６号及び同第５，５９１，１５２号に開示されているように、重なり合っている部分のずれを低減させるか、又はフィット感を改善するように構成されてもよい。
【００３４】
図１及び図２に例示されるように、締着システムは、締着部材５０を含むことができる。締着部材５０はベースパネル４２及び閉鎖部材５２を含むことができ、任意の好適な手段によっておむつ１０の任意の好適な部分に接合することができる。締着システムは、締着部材５０が係合可能なランディングゾーン５４及び／又は使用前に締着要素６２を損傷（insult）から保護する剥離テープを更に含み得る。いくつかの例示的な締着システムが、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。閉鎖部材５２は、折り畳み可能である。
【００３５】
図２は、ベースパネルがおむつシャーシの１つ以上の構成要素と別個ではなく、一体化されているときの、本発明の締着部材５０を有する吸収性物品の一例としてのおむつ１０の概略平面図である。
【００３６】
締着部材
本発明の締着部材は、ベースパネルと、ベースパネルから横方向に延在する閉鎖部材と、閉鎖部材上に配置された締着要素と、を備える。締着要素は、締着要素上縁部及び締着要素下部縁部を含み、閉鎖部材は、締着要素上縁部に沿って形成された凹状部分を含む閉鎖部材上縁部と、締着要素下縁部に沿って形成された凸状部分を含む閉鎖部材下縁部と、横方向上方に延在する近位部分と、を含む。
【００３７】
閉鎖部材は、ベースパネルの外面に接合することができる。閉鎖部材は、ベースパネルからなる層間でベースパネルに接合することができる。閉鎖部材は、ベースパネルに機械的に結合することができる。
【００３８】
図１及び図２を参照すると、締着部材５０のベースパネル４２は、前側腰部領域及び／又は後側腰部領域の一方又は両方の側縁部１２から横方向外側に延在している。ベースパネル４２は、おむつ１０のシャーシの他の構成要素とは別個の構成要素であってよく、図１を参照すると、おむつ１０のシャーシに接合されるか、又は重なり合っていてよい。ベースパネルは、これらに限定されるものではないが、連続的又は断続的な接着剤結合、圧縮結合、熱結合、超音波結合などを含む任意の好適な方法で吸収性物品に取り付けることができる。ベースパネル４２は、シャーシの構成要素のいずれかと一体とすることでその延長部を形成することができ、したがってベースパネル４２を、バックシート、トップシート、コア、及び／又はシャーシ内の別の構成要素の一体要素として構成することができる（すなわち、これらは、バックシート、トップシート、コア、及び／又は構成要素材料から形成され、それらの延長部となっている）。そのような場合、図２を参照して、締着部材５０が開いた伸展位置に配置され、上から見て平らにかつ水平に置かれる場合に、ベースパネル内側縁部４２１は、シャーシの最も狭い点２１においてシャーシ２２の縁部を通る長手方向軸１００に平行な線４２１を意味する。
【００３９】
本発明の例示的な締着部材を平らな状態で示した図３及び図４を参照すると、ベースパネル４２は、ベースパネル内側縁部４２１と、内側縁部４２１と実質的に反対側に位置するベースパネル外側縁部４２３と、を有している。ベースパネル４２はまた、ベースパネル横方向中心線４２０を有する。ベースパネル横方向中心線４２０は、ベースパネル内側縁部４２１を二分する長手方向に延在する想像線として定義することができる。
【００４０】
ベースパネルは、プラスチックフィルム、天然繊維（例えば、木質繊維若しくは綿繊維）の織布ウェブ若しくは不織布ウェブ、合成繊維（例えば、ポリエステル繊維若しくはポリプロピレン繊維）、又は天然繊維と合成繊維との組み合わせなどの任意の材料を含んでよく、又はそれらの材料の任意の組み合わせを含むことができる。ベースパネルは、使用時に着用者の皮膚に触れる場合があるため、着用者の皮膚に適合し、柔らかな感触を有し、かつ非刺激性であることが好ましい。更に、ベースパネルの少なくとも一部は蒸気透過性であり、蒸気がその厚さを通して容易に浸透できる。
【００４１】
任意の好適な不織布をベースパネルに使用することができる。好適な不織布ウェブは、繊維及びウェブがほぼ同時点で形成される直接押出プロセスによって、又は別個に続いて起こる時点でウェブに敷設され得る予め形成された繊維によって形成することができる。例示的な直接押出プロセスとしては、これらに限定されるものではないが、スパンボンド、メルトブローイング、溶媒紡糸、電界紡糸、及び一般的に層を形成するこれらの組み合わせが挙げられる。
【００４２】
ベースパネルは、ベースパネルの少なくとも一部が伸展性になるように、エラストマー材料を含んでもよい。ベースパネルは、不織布／エラストマー材料の積層体、又は不織布／エラストマー材料／不織布の積層体などの伸長積層体から形成されてもよい。ベースパネルは、横方向に伸展性の部分を含んでもよい。ベースパネルは、長手方向に伸展性の部分を含んでもよい。エラストマー性材料の非限定的な例としては、フィルム（例えば、ポリウレタンフィルム、ゴム及び／又は他のポリマー材料から誘導されたフィルム）、別の基材に塗布されたエラストマーコーティング（例えば、ホットメルトエラストマー、エラストマー性接着剤、印刷エラストマー、又は別の基材に共押出されたエラストマー）、エラストマー性不織布、弾性ストランド、スクリムなどが挙げられる。エラストマー性材料は、スチレン誘導体、ポリエステル、ポリウレタン、ポリエーテルアミド、ポリオレフィン、ポリ塩化ビニル、これらの組み合わせを含むエラストマー性ポリマー、又は任意の好適な既知のエラストマーから形成され得る。市販されているエラストマー性材料としては、ＫＲＡＴＯＮ（スチレン系ブロックコポリマー；Ｋｒａｔｏｎ  Ｃｈｅｍｉｃａｌ  Ｃｏｍｐａｎｙ（Ｈｏｕｓｔｏｎ、ＴＸ）から入手可能）、ＳＥＰＴＯＮ（スチレン系ブロックコポリマー；Ｋｕｒａｒａｙ  Ａｍｅｒｉｃａ，Ｉｎｃ．（Ｎｅｗ  Ｙｏｒｋ、ＮＹ）から入手可能）、ＶＥＣＴＯＲ（スチレン系ブロックコポリマー；ＴＳＲＣ  Ｄｅｘｃｏ  Ｃｈｅｍｉｃａｌ  Ｃｏｍｐａｎｙ（Ｈｏｕｓｔｏｎ、ＴＸ）から入手可能）、ＥＳＴＡＮＥ（ポリウレタン；Ｌｕｂｒｉｚｏｌ，Ｉｎｃ（Ｏｈｉｏ）から入手可能）、ＰＥＢＡＸ（ポリエーテルブロックアミド；Ａｒｋｅｍａ  Ｃｈｅｍｉｃａｌｓ、ＵＳＡから入手可能）、ＨＹＴＲＥＬ（ポリエステル；ＤｕＰｏｎｔ、ＵＳＡから入手可能）、ＶＩＳＴＡＭＡＸＸ（ホモポリオレフィン及びランダムコポリマー、並びにランダムコポリマーのブレンド、ＥＸＸＯＮ  Ｍｏｂｉｌｅ、ＵＳＡから入手可能）、及びＶＥＲＳＩＦＹ（ホモポリオレフィン及びランダムコポリマー、並びにランダムコポリマーのブレンド、Ｄｏｗ  Ｃｈｅｍｉｃａｌ  Ｃｏｍｐａｎｙ、ＵＳＡから入手可能）が挙げられる。
【００４３】
本発明の締着部材は、閉鎖部材と、閉鎖部材上に配置された締着要素と、を備えている。
【００４４】
閉鎖部材は、ベースパネルと同じ材料で構成することができる。閉鎖部材は、例えば、剛性及び伸縮性に関してベースパネルとは異なる特性を閉鎖部材に提供することができる、ベースパネルの材料とは異なる材料で構成することができる。閉鎖部材は、プラスチックフィルム、織布、不織布、又はこれらの任意の組み合わせで構成することができる。閉鎖部材は、ベースパネルよりも高い剛性を有することができる。閉鎖部材は、ベースパネルよりも伸縮性を低くすることができる。本発明の締着部材を有する吸収性物品では、ベースパネルよりも硬くかつ／又は伸縮性が低い閉鎖部材は、吸収性物品の適用又は使用時にベースパネル内で発生してベースパネルを伝達する力を低減する。閉鎖部材はまた、ベースパネル内で発生する力によりベースパネルに形成されて伝達される皺を低減することもできる。
【００４５】
図３及び図４を参照すると、締着部材５０は、ベースパネル４２と、ベースパネル４２から横方向外側に延在する閉鎖部材５２と、を備えている。閉鎖部材５２はベースパネル４２から横方向に延在し、閉鎖部材上縁部５２２、閉鎖部材下縁部５３２、上側合流点５２４、下側合流点５３４、閉鎖部材上端点５２６、閉鎖部材下端点５３６、及び近位部分５４２を有している。
【００４６】
締着要素６２は、締着要素横方向中心線６２０、締着要素上縁部６２２、締着要素下縁部６３２、締着要素内側縁部６２４、及び締着要素外側縁部６２６を有している。締着要素横方向中心線６２０は、締着要素外側縁部６２６を二分する長手方向に延在する想像線として定義することができる。本発明における締着要素は、不規則な形状又は向きを有することができる。かかる例では、このような形状、配向、又は係合部分が吸収性物品の長手方向軸に対して最も遠い点を通過する長手方向線が、締着要素外側縁部とみなされ、このような形状、配向、又は係合部分が吸収性物品の長手方向軸に最も近い点を通過する長手方向線が、締着要素内側縁部とみなされる。締着要素は、例えば図５に示されるような複数の係合部分を有してもよく、この場合、締着要素６２は２つの締着部分６２ａ及び６２ｂを有している。
【００４７】
図３に例示されるように、閉鎖部材５２をベースパネル４２とは別個の構成要素とし、ベースパネル４２に接合してもよい。閉鎖部材５２は、これらに限定されるものではないが、連続的又は断続的な接着剤接着、圧縮接着、熱接着、超音波接着、これらの組み合わせを含む任意の好適な方法でベースパネル４２に接合することができる。
【００４８】
閉鎖部材５２は、ベースパネル材料のうちのいずれかと一体とすることができる（すなわち、ベースパネルの任意の構成材料で形成され、かつその延長部である）。図４を参照すると、閉鎖部材５２がベースパネル４２と一体であり、ベースパネル４２と同じ材料で形成されている場合、ベースパネル４２と閉鎖部材５２とは、仮想線として長手方向に延在するベースパネル外側縁部４２３によって区分され得る。
【００４９】
閉鎖部材５２は、最外点５４０を有している。閉鎖部材５２がその外側の自由遠位端に直線状の最外縁部を有する場合、直線状の最外縁部の中心点が最外点５４０とみなされる。閉鎖部材上端点５２６と最外点５４０との間の閉鎖部材上縁部５２２は、締着要素上縁部６２２に沿った凹状部分を含んでいる。閉鎖部材下端点５３６と最外点５４０との間の閉鎖部材下縁部５３２は、締着要素下縁部６３２に沿った凸状部分を含んでいる。「締着要素上縁部に沿った」は、閉鎖部材上縁部の凹部が、締着要素上縁部の少なくとも８０％又は少なくとも９０％に沿って形成されていることを意味する。「締着要素下縁部に沿った」は、閉鎖部材下縁部の凸状部分が、締着要素下縁部の少なくとも８０％又は少なくとも９０％に沿って形成されていることを意味する。
【００５０】
締着要素上縁部に沿った凹状部分を有する閉鎖部材上縁部は、着用者の腹部の輪郭に沿って延在して着用者の突き出た腹部により良好なフィット性を与え、その大きな突出部を収容することができる。凹状部分は、突き出た腹部の丸みを帯びた下面を包み込んで、赤い痕がつくのを低減し、かつ腹部の快適性を改善するうえで役立つ。凸状部分を有する閉鎖部材下縁部は、着用者の脚に接触又は擦れる面積が最小となり、それによって赤い痕がつくのを低減し、皮膚上の快適性を改善することができる。閉鎖部材上縁部の凹状部分はまた、ベースパネル又は腰部領域の任意の部分によって発生する横方向に引っ張る力が閉鎖部材上縁部へと伝達されるのを低減するうえで効果的であり、横方向に引っ張る力を閉鎖部材の中央部分に集中させるのに役立ち得る。また、凹状部分は、横方向に引っ張る力によってベースパネルに形成される皺が閉鎖部材上縁部に伝達されるのを効果的に低減し、横方向に引っ張る力を閉鎖部材の中央部分に集中させるのに役立ち得る。したがって、横方向に引っ張る力が閉鎖部材の中央部分に集中し、また、皺が閉鎖部材上縁部に伝達されないため、閉鎖部材が外れることによっておむつが意図せずに開いてしまうリスクを低減することができる。
【００５１】
引き続き図３及び図４を参照すると、閉鎖部材上縁部５２２は、締着要素上縁部６２２全体に沿った連続的な凹状部分を含んでもよい。閉鎖部材下縁部５３２は、締着要素下縁部６３２全体に沿った連続的な凸状部分を含んでもよい。閉鎖部材上の締着要素の存在は、締着要素が配置された領域の剛性を高め得るものであり、皮膚の刺激又は赤い痕がより懸念される問題となる。締着要素上縁部全体に沿った凹状部分を含む閉鎖部材上縁部と、締着要素下縁部全体に沿った凸状部分を含む下縁部と、を有する本発明による締着部材は、懸念される問題を解決することができる。
【００５２】
閉鎖部材上縁部の凹状部分は、凹状部分が着用者の腹部に向かって湾曲しないように、負又はゼロの傾きを有している。閉鎖部材下縁部の凸状部分は、正又はゼロの傾きを有している。本明細書で使用するとき、用語「傾き」は、閉鎖部材の上縁部又は下縁部上の２点間の長手方向の位置の差を２点間の横方向の位置の差で割ったものとして表される２点間の変化率である。傾きを決定する目的で、図３及び図４は、横方向外側方向１４５は正のＸ方向であり、長手方向外側方向１４７は正のＹ方向であるようなデカルト座標系の第１象限内に位置するとみなされる。
【００５３】
本発明の締着部材において、図３〜図５を参照すると、ベースパネル上端点４２４と上側合流点５２４との間の距離は、約１０ｍｍ未満、又は約５ｍｍ未満、又は約１ｍｍ未満とすることができる。ベースパネル上端点４２４と上側合流点５２４との間の距離は、ベースパネル外側縁部４２３の約２０％未満、又は１０％未満、又は２％未満とすることができる。
【００５４】
上側合流点５２４は、閉鎖部材上縁部５２２がベースパネル外側縁部４２３と交差する点として定義され得る。例えば、図４及び図５を参照すると、ベースパネル上縁部４２２と閉鎖部材上縁部５２２とは実質的に連続しており、ベースパネル上端点４２４と上側合流点５２４との間の距離は実質的にゼロである。これと関連して「実質的にゼロ」とは、約２ｍｍ未満を意味するものとする。吸収性物品中に複数の構成要素が存在することは、全体的な製品の知覚を考慮してユーザーに好まれない場合があり、ベースパネル上縁部と閉鎖部材上縁部との間の長手方向の間隔を最小とするか又は更にはなくすことでユーザーに全体的に統合された製品の好ましい知覚を与えることができると考えられる。
【００５５】
本発明の締着部材では、図３を参照すると、ベースパネル下端点４３４と下側合流点５３４との間の距離は、約８ｍｍ超又は約１０ｍｍ超とすることができる。ベースパネル下端点４３４と下側合流点５３４との間の距離は、ベースパネル外側縁部４２３の約１６％超又は２０％超とすることができる。上記に特定したようなかかる特徴は、弾性のベースパネル又は腰部領域の他の弾性構成要素によって形成される横方向に引っ張る力が閉鎖部材の下縁部へと伝達されるのを低減するうえで効果的であり、横方向に引っ張る力を閉鎖部材の中央部分に集中させるのに役立ち得る。ベースパネル下縁部４３２と閉鎖部材下縁部５３２との間に少なくとも約８ｍｍの長手方向間隔を設けることも、横方向に引っ張る力によってベースパネル４２に形成される皺が閉鎖部材下縁部５３２へと伝達されることを効果的に低減し、横方向に引っ張る力を閉鎖部材５２の中央部分に集中させるのに役立つ。このように、皺が閉鎖部材下縁部に伝達されないので、閉鎖部材の下縁部に伝達される横方向に引っ張る力と皺によって閉鎖部材５２が外れるリスクを低減することができる。ランディングゾーンから閉鎖部材が部分的に（完全でなければ）外れると、吸収性物品の脱落及び漏れにつながり得る。
【００５６】
図３に示す閉鎖部材５２は、近位部分５４２を有している。近位部分５４２は、締着要素外側縁部６２６から最外点５４０までの閉鎖部材５２の一部であり、締着部材５０の把持部分として機能し得る。近位部分５４２は、近位部分幅（proximal portion width、「ＰＰＷ」）（締着要素外側縁部６２６と最外点５４０との間の幅）、及び近位部分長さ（proximal portion length、「ＰＰＬ」）を有する。本発明の締着部材５０は、約６ｍｍ〜約１５ｍｍの範囲、又は約９ｍｍ〜１４ｍｍの範囲のＰＰＷを有することができる。本発明の締着部材５０は、約１８ｍｍ〜約４０ｍｍの範囲、又は約２４ｍｍ〜３０ｍｍの範囲のＰＰＬを有することができる。上述の寸法の閉鎖部材を有する本発明の締着部材は、親指と人差し指で摘まめる把持領域をユーザーに提供することができる。ＰＰＷが狭すぎる、かつ／又はＰＰＬが短すぎる場合、ユーザーが２本の指を用いて簡単に締着部材を摘まない場合がある。ＰＰＷが広すぎる、かつ／又はＰＰＬが長すぎる場合、近位部分は着用中に立ち上がる可能性があり、締着部材が簡単に開いてしまうおそれがある。
【００５７】
本発明の締着部材は、締着部材の方向性を提供するための特定の形状を有するように設計されている。図３〜図５を参照すると、本発明の締着部材５０は、横方向上方に延在する閉鎖部材５２を備えている。かかる方向性を有するように設計された締着部材はまた、ユーザーが締着部材を腰部縁部（腰部周囲）に近いランディングゾーン部材に係合させることを助け、それにより腹部の方向により大きな力が作用して着用者の腰部の周りの改善されたフィット性及び収容性を与え、また、着用者の脚の方向に作用する力が小さくなり、着用者が脚の領域の改善された快適性を感じることができる。
【００５８】
締着部材５０の方向性は、成形閉鎖部材５２の近位部分５４２の形状によって一般的に認識することができる。図３及び図４を参照すると、成形閉鎖部材５２の近位部分５４２は、矢印Ｍによって示される上向きの方向性を与えるように設計されている。閉鎖部材５２の近位部分５４２が横方向上方に延在している場合、閉鎖部材５２の最外点５４０は締着要素横方向中心線６２０の上にある。又は、閉鎖部材５２の近位部分５４２が横方向上方に延在している場合、締着要素横方向中心線６２０は、ベースパネル上縁部４２２とベースパネル横方向中心線４２０との間に位置する。すなわち、締着要素横方向中心線６２０が閉鎖部材下縁部５３２と交差する。
【００５９】
本発明の締着部材は締着要素を含む。図１及び図２を参照すると、締着要素６２は、吸収性物品の確実な側部閉鎖を提供するように、ランディングゾーン又は吸収性物品の別の部分と係合するための締着手段を提供することを意図している。締着要素は、テープタブ、フックアンドループ式締着要素、タブアンドスロット、バックル、ボタン、スナップ、及び／又は雌雄同体型締着要素などの嵌め合い式ファスナーであってよいが、他の既知の任意の締着手段も一般的に許容される。締着要素はまた、接着剤担持材料の複数の別個のパッチ、フックの別個のパッチなど、別々に特定可能な締着要素群を含んでもよい。用語「フック」の使用は、締着要素が相補的なランディングゾーン部材と係合するように構成されている限り、当該技術分野では周知の任意の形状を含み得るという意味で非限定的である点を理解されたい。締着要素は、おむつの側部閉鎖を実現するための既知の構成及び固定手段のいずれかを含むことができる。
【００６０】
本発明の締着部材は、特定の形状の閉鎖部材を有することができる。閉鎖部材上縁部５２２及び閉鎖部材下縁部５３２は、特定の形状を有している。図６に示すように、閉鎖部材上縁部５２２と閉鎖部材下縁部５３２とは、最外点５４０と交差する横断線Ｔに対して非対称とすることができる。閉鎖部材上縁部５２２と閉鎖部材下縁部５３２とは、長手方向に相対的に移動させた際に長手方向線Ｌに対して対称である。長手方向線Ｌは、２個の最外点５４０Ａ及び５４０Ｂによって定められる横断方向長さＤを等分割する長手方向線として定義することができる。
【００６１】
閉鎖部材の上縁部５２２及び閉鎖部材の下縁部５３２の特定の形状は、トリムを形成することなく容易かつ安価に製造することができる閉鎖部材を与えるうえで重要である。閉鎖部材上縁部５２２及び閉鎖部材下縁部５３２の閉鎖部材５２の横方向線Ｔに対する非対称性により、成形タブ５１の方向性を与えることができる。長手方向中心線Ｌ内で相対的に移動させた際の閉鎖部材上縁部５２２及び閉鎖部材下縁部５３２の、閉鎖部材５２の長手方向中心線Ｌに対する対称性は、トリムを形成することなく、容易かつ安価に締着部材を連続的に製造することを可能とする。
【００６２】
図６は、複数の閉鎖部材を形成するプロセスの概略図を示す。図６において、閉鎖部材材料１４８は、矢印Ｐによって示される方向に供給される。閉鎖部材材料１４８は、フック締着材料及び／又は接着材料などの締着要素材料と共に好ましく供給されている。閉鎖部材材料１４８は、概ね長手方向に延在する成形切断線１６０に沿って切断され、切断線１６２に沿って切断されて複数の閉鎖部材５２を得る。切断線１６２は、左側の前の閉鎖部材５２Ａの閉鎖部材下縁部５３２Ａと、後の閉鎖部材５２Ｃの閉鎖部材上縁部５２２Ｃとを形成する。図６に示される実施形態では、右側の閉鎖部材５２Ｂは、閉鎖部材上縁部５２２Ｂ及び閉鎖部材下縁部５３２Ｂを有している。閉鎖部材上縁部５２２Ｂは、左側の前の閉鎖部材５２Ａの閉鎖部材５２Ａの閉鎖部材下縁部５３２Ａに対応している。閉鎖部材下縁部５３２Ｂは、左側の後の閉鎖部材５２Ｃの閉鎖部材上縁部５２２Ｃに対応している。したがって、締着部材のこの特定の構成は、トリムを生じることなく、また締着部材の方向性を与えることなく、締着部材を容易かつ安価に連続して製造することを可能とする。
【００６３】
本発明はまた、シャーシと、第１及び第２の対向する長手方向側縁部と、前側腰部縁部を含む前側腰部領域及び後側腰部縁部を含む後側腰部領域と、長手方向及び横方向に延在する締着部材と、を備える、吸収性物品も提供する。シャーシは、液体透過性トップシートと、液体不透過性バックシートと、液体透過性トップシートと液体不透過性バックシートとの間に配置された吸収性コアと、第１及び第２の対向する長手方向側縁部と、を含む。締着部材は、ベースパネルと、ベースパネルから横方向に延在し、閉鎖部材上縁部及び閉鎖部材下縁部を有する閉鎖部材と、閉鎖部材上に配置された締着要素と、を備え、閉鎖部材上縁部は凹状部分を含み、閉鎖部材下縁部は凸状部分を含み、閉鎖部材は、横方向上方に延在する。締着部材が後側腰部領域の長手方向側縁部から外側に延在する場合、閉鎖部材下縁部は、後側腰部縁部に対して閉鎖部材上縁部の下方に位置するように配置される。締着部材が前側腰部領域の長手方向側縁部から外側に延在する場合、閉鎖部材下縁部は、前側腰部縁部に対して閉鎖部材上縁部の下方に位置するように配置される。
【００６４】
本発明による吸収性物品は、本明細書に開示される本発明の締着部材を含むことができる。
【実施例】
【００６５】
実施例１：おむつの作製
Ｐａｍｐｅｒｓ  Ｈａｊｉｍｅｔｅｎｏ  Ｈａｄａｅｎｏ  Ｉｃｈｉｂａｎ（Ｐｒｏｃｔｅｒ  ａｎｄ  Ｇａｍｂｌｅ  Ｊａｐａｎ  Ｋ．Ｋ．）を使用し、閉鎖部材を本発明の図７Ａに示される締着部材５０の閉鎖部材５２に置き換えることによって図７Ｂに示される本発明のテープ型おむつ（試料１）を作製した。締着部材５０内の閉鎖部材及び締着要素材料は、それぞれＰａｍｐｅｒｓ（Ｐ７．５）のものと同じものとした。図８Ａに示される締着部材を有する図８ＢのＰａｍｐｅｒｓ（Ｐ７．５）（Ｐｒｏｃｔｅｒ  ａｎｄ  Ｇａｍｂｌｅ  Ｃｏｍｐａｎｙ，Ｃｈｉｎａ）、及び図９Ａに示される締着部材を有する図９ＢのＭｅｒｒｉｅｓ  Ｓａｒａｓａｒａ  Ａｉｒｔｈｒｏｕｇｈ（花王株式会社、日本）をそれぞれ比較試料２及び３として作製した。
【００６６】
実施例２
Ｌサイズのおむつを現在使用中の乳児を有する５７人の中国人女性に、すべてサイズＬの試料１及び比較試料１及び２を提供し、各試料を３日間連続して使用してもらい、各試料を質問された各項目について評価してもらった。評価は、５段階の評価スケール（悪い（０）、可（２５）、良い（５０）、非常に良い（７５）、及び優秀（１００））で行った。結果を下記表１に示す。
【００６７】
【表１】
2021532912.tif 000003
＊１：（皮膚上のテープを有するパッドの数／使用したパッドの総数）
【００６８】
実施例３
Ｓサイズのおむつを現在使用中の乳児を有する５５人の中国人女性に、すべてサイズＳの試料１及び比較試料２及び３を提供し、各試料を３日間連続して使用してもらい、各試料を質問された各項目について評価してもらった。評価は、５段階の評価スケール（悪い（０）、可（２５）、良い（５０）、非常に良い（７５）、及び優秀（１００））で行った。結果を下記表２に示す。
【００６９】
【表２】
2021532912.tif 000004
【００７０】
本明細書にて開示された寸法及び値は、列挙された正確な数値に厳密に限定されるものとして理解されるべきではない。その代わりに、特に指示がない限り、そのような各寸法は、列挙された値とその値を囲む機能的に同等な範囲との両方を意味することが意図されている。例えば、「４０ｍｍ」と開示された寸法は、「約４０ｍｍ」を意味することが意図される。
【００７１】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００７２】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【図１】
2021532912.tif 000005
【図２】
2021532912.tif 000006
【図３】
2021532912.tif 000007
【図４】
2021532912.tif 000008
【図５】
2021532912.tif 000009
【図６】
2021532912.tif 000010
【図７Ａ】
2021532912.tif 000011
【図７Ｂ】
2021532912.tif 000012
【図８Ａ】
2021532912.tif 000013
【図８Ｂ】
2021532912.tif 000014
【図９Ａ】
2021532912.tif 000015
【図９Ｂ】
2021532912.tif 000016
【国際調査報告】
2021532912.tif 000017
2021532912.tif 000018
2021532912.tif 000019